(57)【特許請求の範囲】
【請求項１】
フィルタと、ファンモータと、加湿手段と、除湿手段と、操作パネルとを有する空気清浄機において、
前記操作パネルには、空気清浄モードと強脱臭モードを切り換える第１の制御手段と、加湿モードと肌保湿モードを切り換える第２の制御手段と、除湿モードと衣類乾燥モードと結露セーブモードを切り換える第３の制御手段を有し、
前記第１の制御手段と、前記第２の制御手段と、前記第３の制御手段と、は前記操作パネルの手前側の位置に一列に並べられることを特徴とする空気清浄機。
【請求項２】
空気が流通する第１のフィルタと、前記第１のフィルタの下流側に設けられたファンモータと、前記第１のフィルタと前記ファンモータとの間に配置され前記空気を加湿するための第２のフィルタと、前記第２のフィルタに水を供給する給水タンクとポンプと、前記第１のフィルタと前記ファンモータとの間に配置され前記空気を除湿する除湿ユニットと、当該空気清浄機の表面に設けられた操作パネルとを備える空気清浄機であって、
前記操作パネルは、空気清浄モードあるいは前記空気清浄モードよりも空気の臭いに敏感に空気清浄を行う強脱臭モードを選択する第１のボタンと、湿度が第１の値以下である場合に空気清浄に加えて加湿を行う加湿モードあるいは湿度が第１の値よりも高い第２の値以下である場合に空気清浄に加えて加湿を行う肌保湿モードを選択する第２のボタンと、空気清浄に加えて除湿を行う除湿モードあるいは所定の風量以上の風量で風向きを変えながら除湿を行う衣類乾燥モードあるいは空気清浄に加えて加湿を行う運転状態から湿度が第３の値以上になった場合に空気清浄運転又は空気清浄に加えて除湿を行う運転へ切り換える結露セーブモードを選択する第３のボタンを備え、
前記第１のボタンと、前記第２のボタンと、前記第３のボタンと、は前記操作パネルの手前側の位置に一列に並べられ、
前記各モードは前記各ボタンを押下される毎に切り替わることを特徴とする空気清浄機。
【請求項３】
請求項１または２に記載された空気清浄機において、
前記空気清浄機は、前記空気の臭いを検知する臭いセンサと、前記空気中のホコリ等の量を検知するダストセンサと、前記空気中の湿度を検知する湿度センサとを備え、
空気清浄モードでは、前記ダストセンサと前記臭いセンサの検知結果に基づき前記ファンモータの稼動が行われ、
前記強脱臭モードでは、前記ダストセンサの感度を前記空気清浄モードよりも鈍感にし前記臭いセンサの感度を空気清浄モードよりも敏感にして前記ダストセンサと前記臭いセンサの検知結果に基づき前記ファンモータの稼動が行われ、
前記加湿モードでは、前記空気清浄モードと同様の前記ファンモータの稼動に加え、前記湿度センサの検知結果に基づき前記ポンプの稼動が行われ、
前記肌保湿モードでは、前記加湿モードよりも高い湿度を設定値として前記ファンモータと前記ポンプの稼動が行われ、
前記除湿モードでは、前記空気清浄モードと同様の前記ファンモータの稼動に加え、前記湿度センサの検知結果に基づき前記除湿ユニットの稼動が行われ、
前記衣類乾燥モードでは、前記除湿モードよりも高い回転速度での前記ファンモータの稼動と前記除湿ユニットの稼動が行われ
前記結露セーブモードでは、加湿運転中は前記ファンモータと前記ポンプの稼動が行われ、除湿運転中は前記ファンモータと前記除湿ユニットの稼動が行われることを特徴とする空気清浄機。
【請求項４】
請求項１乃至３の何れか１項に記載の空気清浄機において、
臭いセンサと、ダストセンサと、制御部を備え、
前記制御部は、前記臭いセンサの検知結果があらかじめ定めた設定値１となり、かつ前記ダストセンサの検知結果があらかじめ定めた設定値２となると、前記ファンモータの停止と稼動を繰り返すよう制御し、
前記ファンモータの稼動は複数あるファンモータ回転モードの中で最も少ない回転数で回転するモードで稼動することを特徴とする空気清浄機。
【請求項５】
請求項１乃至３の何れか１項に記載の空気清浄機において、
空気が流通する第１のフィルタと、前記第１のフィルタの下流側に設けられたファンモータと、前記空気の臭いを検知する臭いセンサと、前記空気中のホコリ等の量を検知するダストセンサと、前記ファンモータを制御する制御部とを備え、
前記制御部は、前記臭いセンサの検知結果があらかじめ定めた設定値１となり、かつ前記ダストセンサの検知結果があらかじめ定めた設定値２となる状態が所定時間ｔ０経過した後に、所定時間ｔ２のファンモータの停止制御Ｔ１と所定時間ｔ１のファンモータの稼動制御Ｔ２を繰り返す制御Ｔを行い、
前記制御Ｔ２では前記ファンモータは複数あるファンモータ回転モードの中で最も少ない回転数で回転するモードで稼動するよう制御され、
前記制御Ｔにおいて、前記臭いセンサと前記ダストセンサの検知は継続して行われ、
前記制御Ｔにおいて、前記臭いセンサの検知結果があらかじめ定めた設定値３となり、あるいは前記ダストセンサの検知結果があらかじめ定めた設定値４となると前記制御Ｔは停止され、前記ファンモータを稼動する制御が行われ、
前記臭いセンサの検知結果が設定値１となり、かつ前記ダストセンサの検知結果が設定値２となる状態が所定時間ｔ０経過した後には制御Ｔを行うことを特徴とする空気清浄機。
【請求項６】
請求項５において、
前記制御Ｔの開始からｔ４経過後に電源が切れることを特徴とする空気清浄機。
【請求項７】
請求項６において、
前記ｔ１は１０分、前記ｔ２は５０分、前記ｔ４は８時間であることを特徴とする空気清浄機。
【発明の詳細な説明】
【技術分野】
【０００１】
本発明は加湿機能と除湿機能を有する空気清浄機に関する。
【背景技術】
【０００２】
現在、空気清浄モードだけでなく除湿モード，加湿モード，肌加湿モード，ランドリー乾燥モードなど様々なモードを有する多機能型空気清浄機が出回っている。様々なモードを切り換える手段として、それぞれのモードに対応する数の操作ボタンが設けられている空気清浄機（特許文献１）や、除湿モード，加湿モード，空気清浄モードを切り換えるボタンと、肌加湿モード，ランドリー乾燥モードを切り換えるボタンが別のボタンとして設けられている空気清浄機（特許文献２）がある。
【先行技術文献】
【特許文献】
【０００３】
【特許文献１】特開２０１０−５４１８９号公報
【特許文献２】特開２０１０−１１２７０５号公報
【発明の概要】
【発明が解決しようとする課題】
【０００４】
特許文献１は、モードを切り換える手段としてモードの数と同数のボタンを操作部に設ける必要がある。
【０００５】
特許文献２は、加湿モードと除湿モードを１つのボタンで、肌加湿モードとランドリー乾燥モードを別の１つのボタンで選択できるようになっており、加湿モードと肌加湿モードのように類似するモードが別ボタンであり目的のモード選択が困難である。
【０００６】
操作部をすっきりとさせ、類似モードへの派生を容易にすることが本願発明の目的の１つである。
【０００７】
また、特許文献１，２ともに、空気清浄運転により空気がきれいな状態が継続してもそれまでと同様の運転が続く。空気がきれいな状態が継続してもファンモータは稼動し続けるため消費電力量が増大するといった課題がある。
消費電力量を低減させることが本願発明の目的の１つである。
【課題を解決するための手段】
【０００８】
操作部をすっきりとさせ、類似モードへの派生を容易にするという目的を解決する手段として、フィルタと、ファンモータと、加湿手段と、除湿手段と、操作パネルとを有する空気清浄機において、操作パネルには、空気清浄モードと強脱臭モードを切り換える第１の制御手段と、加湿モードと肌保湿モードを切り換える第２の制御手段と、除湿モードと衣類乾燥モードと結露セーブモードを切り換える第３の制御手段を有し、前記第１の制御手段と、前記第２の制御手段と、前記第３の制御手段と、は前記操作パネルの手前側の位置に一列に並べられることを特徴とする。
【０００９】
あるいは、操作部をすっきりとさせ、類似モードへの派生を容易にするという目的を解決する手段として、空気が流通する第１のフィルタと、第１のフィルタの下流側に設けられたファンモータと、第１のフィルタとファンモータとの間に配置され空気を加湿するための第２のフィルタと、第２のフィルタに水を供給する給水タンクとポンプと、第１のフィルタとファンモータとの間に配置され空気を除湿する除湿ユニットと、当該空気清浄機の表面に設けられた操作パネルとを備える空気清浄機であって、操作パネルは、空気清浄モードあるいは空気清浄モードよりも空気の臭いに敏感に空気清浄を行う強脱臭モードを選択する第１のボタンと、湿度が第１の値以下である場合に空気清浄に加えて加湿を行う加湿モードあるいは湿度が第１の値よりも高い第２の値以下である場合に空気清浄に加えて加湿を行う肌保湿モードを選択する第２のボタンと、空気清浄に加えて除湿を行う除湿モードあるいは所定の風量以上の風量で風向きを変えながら除湿を行う衣類乾燥モードあるいは空気清浄に加えて加湿を行う運転状態から湿度が第３の値以上になった場合に空気清浄運転又は空気清浄に加えて除湿を行う運転へ切り換える結露セーブモードを選択する第３のボタンを備え、前記第１のボタンと、前記第２のボタンと、前記第３のボタンと、は前記操作パネルの手前側の位置に一列に並べられ各モードは各ボタンを押下される毎に切り替わることを特徴とする。
【００１０】
または、消費電力量を低減させるという課題を解決する手段として、フィルタと、ファンモータと、臭いセンサと、ダストセンサと、制御部を備えた空気清浄機において、制御部は、臭いセンサの検知結果があらかじめ定めた設定値１となり、かつダストセンサの検知結果があらかじめ定めた設定値２となると、ファンモータの停止と稼動を繰り返すよう制御し、ファンモータの稼動は複数あるファンモータ回転モードの中で最も少ない回転数で回転するモードで稼動することを特徴とする。
【００１１】
あるいは、消費電力量を低減させるという課題を解決する手段として、空気が流通する第１のフィルタと、第１のフィルタの下流側に設けられたファンモータと、空気の臭いを検知する臭いセンサと、空気中のホコリ等の量を検知するダストセンサと、ファンモータを制御する制御部とを備えた空気清浄機において、制御部は、臭いセンサの検知結果があらかじめ定めた設定値１となり、かつダストセンサの検知結果があらかじめ定めた設定値２となる状態が所定時間ｔ０経過した後に、所定時間ｔ２のファンモータの停止制御Ｔ１と所定時間ｔ１のファンモータの稼動制御Ｔ２を繰り返す制御Ｔを行い、制御Ｔ２ではファンモータは複数あるファンモータ回転モードの中で最も少ない回転数で回転するモードで稼動するよう制御され、制御Ｔにおいて、臭いセンサとダストセンサの検知は継続して行われ、制御Ｔにおいて、臭いセンサの検知結果があらかじめ定めた設定値３となり、あるいはダストセンサの検知結果があらかじめ定めた設定値４となると制御Ｔは停止され、ファンモータを稼動する制御が行われ、臭いセンサの検知結果が設定値１となり、かつダストセンサの検知結果が設定値２となる状態が所定時間ｔ０経過した後には制御Ｔを行うことを特徴とする。
【発明の効果】
【００１２】
空気清浄モードと強脱臭モードといった類似するモードを１つの制御手段あるいは１つのボタンで切換可能とし、加湿モードと肌加湿モードといった類似するモードを１つの制御手段あるいは１つのボタンで切換可能とし、除湿モードと衣類乾燥モードと結露セーブモードといった類似するモードとを１つの制御手段あるいは１つのボタンで切換可能とすることで、制御手段あるいはボタンの数が減り操作部がすっきりし、更に類似モードへの派生が容易となるという効果がある。
【００１３】
ファンモータの稼動と停止を繰り返すよう制御し、その際のファンモータの稼動を複数あるファンモータ回転モードの中で最も少ない回転数で回転するモードで稼動させることで、消費電力量を低減させることができるという効果がある。
【図面の簡単な説明】
【００１４】
【図１】本発明に係る実施形態の空気清浄機を示す斜視図である。
【図２（ａ）】実施形態の空気清浄機の正面図である。
【図２（ｂ）】図２（ａ）のＡ−Ａ線断面図である。
【図３】実施形態の空気清浄機の分解斜視図である。
【図４】実施形態の空気清浄機の操作パネルを示す図である。
【図５】実施形態の空気清浄機の制御装置を示すブロック図である。
【図６】実施形態の水タンクを斜め上方から見た斜視図である。
【図７】（ａ）は、気化フィルタユニットを示す斜視図であり、（ｂ）は、気化フィルタユニットにおける空気に湿気を付与するための気化フィルタを示す斜視図である。
【図８】図２（ａ）に示す空気清浄機におけるＢ−Ｂ線断面より下方の水タンクが配置される個所とポンプ継ぎ手ユニットとを示す斜視概要図である。
【図９】ポンプ継ぎ手ユニットの構造を示すポンプ継ぎ手ユニット単体の斜視図である。
【図１０】（ａ）は、空気清浄機内に水タンクおよび気化フィルタユニットを収納した場合を示す斜視図であり、（ｂ）は、水タンクおよび気化フィルタユニットをそれぞれ空気清浄機に取り付ける場合の空気清浄機内のポンプ継ぎ手ユニットとの関係を示す斜視図である。
【図１１】デシカントロータ，ヒータ等の除湿ユニットを示す図２（ｂ）のＤ−Ｄ線断面図である。
【図１２】デシカントロータ，ヒータを覆うヒータケース，ファンケーシング等を取り外した状態を示す斜視図である。
【図１３】除湿ユニットを構成する凝縮器近傍を示す図２（ｂ）のＥ−Ｅ線断面図である。
【図１４】除湿ユニットを構成する凝縮器近傍を示すＦ−Ｆ線断面図である。
【図１５】（ａ）は、ヒータとヒータが内部に設けられたヒータケースとを有するヒータアッセンブリを示す斜視図であり、（ｂ）は、ヒータアッセンブリをヒータ側から見た図である。
【図１６】（ａ）は、図１２に示すデシカントロータ，ヒータケース，ファンケーシング，デシカントロータ支持部材等のアッセンブリを分解したデシカントロータを示す斜視図であり、（ｂ）は、図１２に示すデシカントロータ，ヒータケース，ファンケーシング，デシカントロータ支持部材等のアッセンブリを分解したデシカントロータ支持部材，ロータ駆動歯車を示す斜視図であり、（ｃ）は、（ａ）に示すデシカントロータの背面からの斜視図である。
【図１７】（ａ）は、図２（ｂ）のＥ−Ｅ線断面図の図１３に示す凝縮器の正面図であり、（ｂ）は、（ａ）に示す凝縮器の背面図である。
【図１８】図１７（ａ）に示す凝縮器の分解図である。
【図１９】従来の加湿機能付き空気清浄機における気化式加湿エレメントを示す斜視図である。
【図２０】ｅｃｏ運転の動作フロー図を示す図である。
【図２１】（ａ）は、通常の自動運転で空気がきれいな状態となった際のタイミングチャートの一例を示す図であり、（ｂ）は、ｅｃｏ運転時のタイミングチャートの一例を示す図である。
【図２２】結露セーブモード時の運転状態の一実施例を示す図である。
【発明を実施するための形態】
【００１５】
以下、本発明の実施形態について図面を参照して説明する。
【００１６】
《空気清浄機１の全体構成》
図１は、本発明に係る実施形態の空気清浄機１を示す斜視図であり、図２（ａ）は、実施形態の空気清浄機１の正面図であり、図２（ｂ）は、図２（ａ）のＡ−Ａ線断面図である。また、図３は、実施形態の空気清浄機１の分解斜視図である。
【００１７】
図１，図３に示すように、実施形態の空気清浄機１は、その周囲を筐体である主部筐体ケース２と前部筐体ケース３とで覆われており、前部筐体ケース３の前面には、前面パネル４が、前部筐体ケース３の被係止部（図示せず）に前面パネル４の係止部（図示せず）が弾性変形され、取り付けられている。
【００１８】
このように、前面パネル４は、前部筐体ケース３に簡単に取り付けられるので、空気清浄機１のフィルタユニット５（図２（ｂ）参照）のメンテナンス等に際しては、前面パネル４が、容易に取り外し，取り付けができることになる。
【００１９】
図１に示す空気清浄機１は、図２（ｂ）に示すように、前面パネル４と前部筐体ケース３との間のクリアランスｃを通して室内の空気を吸入するためのファンモータ７（図３参照）と、ファンモータ７によって吸入される室内の空気の集塵や脱臭を行うためのフィルタユニット５と、室内の空気を加湿するための水が貯留される水タンク１３と、フィルタユニット５を通して清浄にされた空気を水タンク１３内から汲み上げられた水により加湿する気化フィルタユニット１５と、フィルタユニット５を通して清浄にされた空気の水分を吸い取る除湿用のデシカントロータ９と、デシカントロータ９で吸収した水分を気化する空気を加熱するためのヒータ３３（図３参照）と、デシカントロータ９から吸収し気化された水分を含む空気からその水分を凝縮するための凝縮器１１（図３参照）と、ファンモータ７の遠心ファンの周りを囲うとともに上部の排出口２ｏに向かって遠心ファン外周との間隙が拡がって形成され清浄にされた空気を排出するための渦巻状のファンケーシング８（図３参照）とを備えている。
【００２０】
図１，図２（ｂ）に示すように、空気清浄機１の筐体である前部筐体ケース３と前面パネル４との間には、クリアランスｃが上下左右に形成され、このクリアランスｃを通して、図２（ｂ）の矢印α１１のように、室内の汚れた空気が空気清浄機１内に吸入され、フィルタユニット５を通ってろ過され清浄にされた空気が、渦巻状のファンケーシング８（図３，図２（ａ）参照）に案内され、図１に示すように、主部筐体ケース２の上部に開口された排出口２ｏを通って、室内に排出される。
【００２１】
ここで、図１，図３に示すように、主部筐体ケース２の上部には、主部筐体ケース２の排出口２ｏの開閉を担う蓋開閉蓋であるフラップ２ｔ（ルーバー）が、主部筐体ケース２の上部に回転自在に軸支されており、空気清浄機１の運転時には、図１に示すように、フラップ２ｔが開制御されることで主部筐体ケース２の排出口２ｏが開口され、空気清浄機１によって清浄にされた空気が、排出される。フラップ２ｔは、０度（水平）から９０度（垂直）の範囲で回動可能である。フラップ２ｔは、０度（水平）から８５度（略垂直）の範囲で回動可能であってもよい。フラップ２ｔが０度のときは風向は前方向となり、フラップ２ｔが９０度または８５度のときは風向は上方向となる。
【００２２】
また、主部筐体ケース２の上部の排出口２ｏ部は分割されて、外側に露出したねじにより固定されて一体化されている。このねじを外して排出口２ｏ部を取り外すことにより、排出口２ｏの開閉を担う蓋開閉蓋であるフラップ２ｔと、フラップ開閉用モータ６１，駆動リンク６２，従動リンク６３を保持するフレーム（図示せず）からなるユニットとして、容易に取り外し、取り付けができる。この構造により、モータとリンク部品を別ユニット化できるので組み立て作業が容易にできる。また、フラップ２ｔの動作故障時においても、排出口２ｏ部のみを取り外せばユニットの点検や交換ができる。
【００２３】
例えば、空気清浄機１で空気清浄モードが選択された場合には、フラップ２ｔが徐々に開き全開状態（例えば、開角９０度）となる。また、衣類乾燥モードが選択された場合には、フラップ２ｔは、開角４５度と開角９０度間の回転往復動作を反復して行い、空気清浄機１の排出口２ｏから排出される空気を上下方向に送風し、衣類の上下に風をあて衣類の乾燥を促進する。つまり、衣類乾燥モードが選択された場合には、水平よりも開いた所定の角度と全開との間の回転往復動作を反復して行う。衣類乾燥モードが選択された場合には、フラップ２ｔは、開角１０度と開角９０度間の回転往復動作を反復して行ってもよい。
【００２４】
例えば、空気清浄機１で強脱臭モードが選択された場合には、フラップ２ｔが全開状態となり排出口２ｏの通風抵抗を減少させ大風量運転を可能とし、上方向に送風することにより、室内空気の循環を促して空気清浄機の対辺空気を導いて室内空間全体の脱臭処理を促進する。つまり、強脱臭モードのフラップ２ｔの開角は、空気清浄モードのフラップ２ｔの開角と同一である。
【００２５】
また、加湿機能が働く加湿モード若しくは肌保湿モードが選択された場合には、フラップ２ｔは、開角４５度の状態となり、空気清浄機１の排出口２ｏから排出される空気を前斜め方向に送風し、加湿された清浄空気のユーザがいる室内中央部への供給を促進する。
【００２６】
また、除湿機能が働く除湿モードが選択された場合には、フラップ２ｔは、開角４５度の状態となり、空気清浄機１の排出口２ｏから排出される空気の前斜め方向に送風し、除湿された清浄空気をユーザがいる室内中央部への供給を促進する。
【００２７】
また、加湿機能と除湿機能が働く結露セーブモードが選択された場合には、フラップ２ｔは、開角４５度の状態となり、空気清浄機１の排出口２ｏから排出される空気を前斜め方向に送風し、加湿若しくは除湿された清浄空気のユーザがいる室内中央部への供給を促進する。つまり、除湿モードおよび結露セーブモードのフラップ２ｔの開角は、加湿モードおよび肌保湿モードのフラップ２ｔの開角と同一である。そして、空気清浄モードおよび強脱臭モードのフラップ２ｔの開角は、加湿モードおよび肌保湿モードおよび除湿モードおよび結露セーブモードのフラップ２ｔの開角よりも大きく、よって、風向も垂直上方向に近い。
【００２８】
また、セルフ乾燥モードが選択された場合には、フラップ２ｔが全開状態となる。
【００２９】
また、まかせてスタートが選択された場合には、フラップ２ｔは開角４５度の状態となる。
【００３０】
運転モードを切り換える場合にはフラップ２ｔは一度閉じた状態となった後、所定の運転モードに応じて開いた状態となる。
【００３１】
また、空気清浄機１が運転中に開いたフラップ２ｔは、運転停止するときはフラップ２ｔを閉じた状態に戻して運転停止する。これにより、排出口２ｏから空気清浄機１内部に異物や塵埃が入り込むのを防ぐことができる。
【００３２】
ここで、フラップ２ｔの開閉機構を構成する部材は、互いに回転運動して駆動されるので、該部材が互いに往復運動する場合に比べ、動きがスムーズで動作信頼性が高い。よって、フラップ２ｔの開閉機構のメンテナンスの頻度を抑制できる。
【００３３】
＜空気清浄機１の制御装置Ｅ＞
図５は、空気清浄機１の制御装置Ｅを示すブロック図である。
【００３４】
空気清浄機１（図１参照）の運転を制御する制御装置Ｅは、前部筐体ケース３の前上部の操作パネル６０から露出した各種の操作ボタン５０に近接して、前部筐体ケース３の前側上部内に備わっている。なお、表示装置（図示せず）は、制御装置Ｅの近くに設けられる。操作パネル６０は、空気清浄機１の上面（上側表面）に設けられる。
【００３５】
図５に示すように、制御装置Ｅは、マイクロコンピュータＥ１（以下、マイコンＥ１と称す），各種モータ，ヒータ３３等の駆動回路等の各種回路，リレー等から構成され、マイコンＥ１のＲＯＭ（Read Only Memory）に格納された制御プログラムを実行することにより、空気清浄機１が統括的に制御される。なお、制御プログラムは、メンテナンスされるに際して、書込み回路Ｅ９ａ，書込みコネクタＥ９ｂを用いて、制御プログラムの更新がなされる。
【００３６】
ユーザが、空気清浄機１の操作パネル６０に配置された所望の操作ボタン５０を押下することにより、操作信号が制御装置Ｅに入力され、該操作信号に応じて制御装置Ｅによって空気清浄機１の運転が制御される。
【００３７】
また、空気清浄機１はリモート操作可能なリモコン（図示せず）を有し、ユーザはリモコンを操作することで、リモコンにより無線でリモコン受光部ＩＣを介して制御装置Ｅと信号の授受を行い、空気清浄機１を遠隔操作できる構成としてもよい。
【００３８】
その際、ヒータ３３を使用しないモード（空気清浄モード，強脱臭モード，加湿モード，肌保湿モード）は、制御装置Ｅにおいてリモコンによる操作を可能としているのに対し、意図しない作動を制限するため、ヒータ３３を使用するモード（除湿モード，結露セーブモード，衣類乾燥モード）は、制御装置Ｅにおいてリモコンによる操作を不可能とする。また、リモコンには、印字やシールによって、ヒータ３３を使用するモードはリモコンによる操作を不可能とする旨の表示をすることで、誤使用や故障状態との誤認防止を図ることができる。
【００３９】
また、ヒータ３３を使用しないモードは、電源入・切ボタン５１を押下に応じて稼動するのに対して、ヒータ３３を使用するモードは、電源入・切ボタン５１を押下し、一時停止または停止後に移行するように、制御装置Ｅにおいて構成され、作動の制限を図っている。
【００４０】
或いは、ヒータ３３を使用するモードは、制御装置Ｅにおいて、ヒータ３３を使用しないモードより、操作ボタン５０の押下時間を長く設定し、作動の制限を図っている。例えば、ヒータ３３を使用するモードを選択する操作ボタン５０は押下時間を０.５秒とすると、ヒータ３３を使用するモードを選択する操作ボタン５０は押下時間を１秒以上操作により選択されるようにして、押下操作により即時に動作するヒータ３３を使用しないモードを選択する操作ボタン５０として作動の制限を行うことができる。また、印字やシールによって、ヒータ３３を使用するモードを選択する操作ボタン５０の近傍に押下時間が１秒以上操作により選択される旨と、本体のみでの操作が可能は旨を表記することで、作動の制限と誤使用や故障状態との誤認防止を図ることができる。
【００４１】
これにより、意図せぬヒータ３３の作動を未然に防ぐことができる。
【００４２】
ここで、空気清浄機１は、制御装置Ｅによる制御に使用するための室内の空気の湿度を検知する湿度センサＥ３，室内の空気の臭いを検知する臭いセンサＥ４，室内の空気中のほこり等の量を検知するダストセンサＥ５等が備わっている。
【００４３】
＜フィルタユニット５＞
図２（ｂ），図３に示すフィルタユニット５は、前部筐体ケース３側のクリアランスｃから吸入される空気が当る最も手前に配置されている。
【００４４】
フィルタユニット５は、空気清浄機１の最手前側（図２（ｂ）の紙面左側）に、クリアランスｃから吸入される空気から綿ゴミ，大きなゴミ等を除去するプレフィルタ５ａ（図３参照）が配設されており、フィルタユニット５の中央に、該吸入される空気からチリやホコリ，花粉等の微粒子などを除去する集塵フィルタ５ｂ（図３参照）が配設されており、フィルタユニット５の奥側（図２（ｂ）の紙面右側）に、活性炭等の吸入される空気から臭いのもとを除去する脱臭フィルタ５ｃ（図３参照）が配設されている。
【００４５】
＜ファンモータ７＞
図２（ｂ），図３に示すファンモータ７は、空気清浄機１の空気の吸入，排出を行うものであり、主部筐体ケース２の内部に設けられるファンケーシング８内に配置されている。
【００４６】
ファンモータ７は、空気清浄機１の手前の上下左右のクリアランスｃ（図１，図２（ｂ）参照）から空気を空気清浄機１内に吸入するための遠心ファンと、該遠心ファンを回転駆動するための電動機とを有している。
【００４７】
ターボファンに吸い込み流を導く吸い込み板１０は、ファンケーシング８と共にターボファンを囲んで形成されている。
【００４８】
＜水タンク１３＞
図２（ｂ），図３に示す水タンク１３は、空気清浄機１で、フィルタユニット５でろ過され清浄にされた空気を加湿する加湿モードを行うための水を収容する部材である。
【００４９】
図６は、実施形態の水タンク１３を斜め上方から見た斜視図である。
【００５０】
図６に示すように、水タンク１３は、給水される水が貯留される水タンク箱体１３ａと、水タンク箱体１３ａの上方を覆う水タンク蓋１３ｂとを備えている。
【００５１】
水タンク１３の水タンク箱体１３ａは、例えば、ポリプロピレン等の合成樹脂を用いて、底面板，前後左右側面板を有する箱形状に成型され、前側面板の外部には、空気清浄機１内から水タンク１３を外に引き出すための把っ手部１３ａ１が形成されるとともに、水タンク箱体１３ａ内の水の水位を目視するための覗き窓１３ａ２が形成されている。
【００５２】
水タンク１３の水タンク蓋１３ｂは、例えば、ポリプロピレン等の合成樹脂を用いて、図６に示すように、外周域から中央部にいくに従い次第に下方になる形状に形成されるとともに、中央部には凝縮器１１において凝縮され凝縮器１１の凝縮水排出孔１１ｃ１（図１７参照）から滴下する水を、水タンク箱体１３ａ内に入れるために集水孔１３ｂ１が形成されている。また、水タンク蓋１３ｂは、水タンク箱体１３ａ内の水が不足または無くなった際にユーザが吸水するための給水孔１３ｂ２が穿設されている。
【００５３】
さらに、水タンク蓋には、水タンク１３内の水を、後記のポンプｐにより、気化フィルタユニット１５に吸い上げるための吸い上げ孔を有する給水突起と、気化フィルタユニット１５からオーバーフローした水を水タンク１３内に戻すための戻し孔を有する環流突起とを有して形成されている。
【００５４】
なお、水タンク蓋１３ｂの給水突起の吸い上げ孔は、水タンク箱体１３ａ内の下部の水を吸い上げられるように、水タンク箱体１３ａ内の下部まで連続するように、水タンク蓋１３ｂに成形されている。
【００５５】
＜気化フィルタユニット１５＞
図７（ａ）は、気化フィルタユニット１５を示す斜視図であり、図７（ｂ）は、気化フィルタユニット１５における空気に湿気を付与するための気化フィルタ６を示す斜視図である。
【００５６】
図７（ａ）に示すように、気化フィルタユニット１５は、空気清浄機１内で清浄にされた空気に湿気を付与するための気化フィルタ６と、気化フィルタ６を保持する気化フィルタケース１７と、気化フィルタ６および気化フィルタケース１７が保持されるとともに気化フィルタ６に染み込ませる水が収容される給水トレイ１８とを有している。
【００５７】
また、気化フィルタユニット１５は、水タンク１３からポンプｐにより汲み上げられた水を、給水トレイ１８に給水するための給水孔１９ａが形成されるトレイ給水突起１９と、給水トレイ１８内の水が所定の水位を超えた場合にオーバーフローさせた水を、水タンク１３に戻すための排水孔２０ａを有するトレイ還流突起２０が形成されている。
【００５８】
なお、トレイ給水突起１９の給水孔１９ａは、給水トレイ１８の上方に続いており、水タンク１３からポンプｐにより汲み上げられ給水孔１９ａを通流する水は、上方から給水トレイ１８内に滴下され、給水される。
【００５９】
図７（ａ）に示す給水トレイ１８は、気化フィルタ６に吸水させる水を貯留するための部材であり、合成樹脂を用いて、底面板１８ａと底面板１８ａの外周部から上方に延在する側面板１８ｂが形成された上方が開口した凹型形状に形成されるとともに、内部に気化フィルタ６を保持する気化フィルタケース１７を支持するリブ（図示せず）が形成されている。
【００６０】
また、給水トレイ１８には、ポンプｐを用いて、水タンク１３から給水された水が所定の水位を超えた場合にオーバーフローさせるためのオーバーフロー孔（図示せず）が形成されている。給水トレイ１８のオーバーフロー孔は、気化フィルタユニット１５のトレイ還流突起２０の排水孔２０ａに接続されており、給水トレイ１８のオーバーフロー孔からオーバーフローした水は、トレイ還流突起２０の排水孔２０ａを介して、水タンク１３に戻される構成である。
【００６１】
これにより、給水トレイ１８内の水位を検知するための水位センサが不要になるとともに、給水トレイ１８内の水量の厳密な制御が不要になっている。
【００６２】
図７（ｂ）に示す気化フィルタ６は、吸水性を有する材料で形成され、給水トレイ１８内の水を毛細管現象により、吸水するための細孔を多数有している。
【００６３】
図７（ａ）に示す気化フィルタユニット１５は、気化フィルタ６の下部が水タンク１３からポンプｐを用いて給水される給水トレイ１８内の水に浸り、毛細管現象により気化フィルタ６内に吸水される。
【００６４】
このようにして、水分を帯びた気化フィルタ６を、フィルタユニット５（（図２（ｂ），図３参照）でろ過され清浄にされた空気を、前方（図２（ｂ）に示す気化フィルタ６の左側）から後方（図２（ｂ）に示す気化フィルタ６の右側）に通流させることにより、該空気に水分を付与し加湿し、空気清浄機１の加湿モードが遂行される。
【００６５】
ここで、ポンプｐの稼働は、図５に示す湿度センサＥ３で検知される湿度，ファンモータ７による空気清浄機１の風量，時間等をパラメータとして、制御装置Ｅにより加湿用ポンプモータｐ１が駆動制御されることで、制御されている（図５参照）。
【００６６】
例えば、空気清浄機１の稼働開始時、または肌保湿ボタン５６（図１参照）を押下した肌保湿などのモードで加湿重視のときは、ファンモータ７による風量を上げるので、制御装置Ｅにより加湿用ポンプモータｐ１を駆動制御しポンプｐを稼働し、給水トレイ１８に水を供給し、加湿を促進する。例えば、風量が、風量の少ないほうから、弱，標準（中），強，ターボの４段階であるとすると、加湿重視のときは、ターボを除いて最も風量の多い強風量とする。
【００６７】
或いは、湿度センサＥ３で検知される湿度が低ければ、加湿の必要があるので、制御装置Ｅにより加湿用ポンプモータｐ１を駆動制御しポンプｐを稼働し、給水トレイ１８に水を供給する。
【００６８】
或いは、ユーザが風量切替えボタン５２ａ（図１参照）を押下し高い風量を選択した場合、そのままでは室内が乾燥するので、制御装置Ｅにより加湿用ポンプモータｐ１を駆動制御しポンプｐを稼働し、給水トレイ１８に水を供給し、気化フィルタ６を用いて加湿を行う。
【００６９】
或いは、空気清浄機１を最初に稼働する場合、気化フィルタ６全体に水が染み込むのに５秒前後かかるとすると、「ポンプｐを１０秒稼働し、給水トレイ１８に水を供給する。その後、ポンプｐを５秒停止し、気化フィルタ６に給水トレイ１８に供給された水が染み込ませる。続いて、ポンプｐを５秒稼働し、給水トレイ１８に水を供給する。その後、ポンプｐを５秒停止し、気化フィルタ６に給水トレイ１８に供給された水を染み込ませる。このようなポンプｐの駆動パターンの制御を制御装置Ｅにより行えば、ポンプｐが無駄に稼働せず休止する時間ができるので、運転時間が短くなる。
【００７０】
そのため、空気清浄機１の寿命を延ばすことが可能である。また、消費電力量の低減効果もある。
【００７１】
また、ポンプｐは加湿を行うときだけ運転して給水トレイ１８に給水するので、他の運転モードのときは気化フィルタ６が乾いた状態になる。これにより、水道水に含まれるカルキ成分などが気化フィルタ６に付着するのを少なくして加湿能力が低下するのを抑制でき、気化フィルタ６の寿命をのばすことができる。
【００７２】
＜ポンプ継ぎ手ユニット２１＞
図８は、図２（ａ）に示す空気清浄機１におけるＢ−Ｂ線断面より下方の水タンク１３が配置される個所とポンプ継ぎ手ユニット２１とを示す斜視概要図であり、図９は、ポンプ継ぎ手ユニット２１の構造を示すポンプ継ぎ手ユニット２１単体の斜視図である。
【００７３】
図９に示すように、ポンプ継ぎ手ユニット２１は、水タンク１３内の水を気化フィルタユニット１５の給水トレイ１８に給水するためポンプｐを備えるとともに、水タンク１３内の水を吸い上げるための吸い上げ孔部２１ａと、該吸い上げ孔部２１ａと内部の流路（図示せず）をもってポンプｐを介して接続され気化フィルタユニット１５の給水トレイ１８に給水するための給水孔部２１ｂと、気化フィルタユニット１５の給水トレイ１８をオーバーフローした水が流入するトレイ水戻し孔部２１ｃと、トレイ水戻し孔部２１ｃと内部の流路（図示せず）をもって接続され給水トレイ１８をオーバーフローした水を水タンク１３に戻すためのタンク戻し孔部２１ｄとが形成されている。
【００７４】
ポンプ継ぎ手ユニット２１の吸い上げ孔部２１ａおよびタンク戻し孔部２１ｄには、図６に示す水タンク１３における吸い上げ孔を有する給水突起および戻し孔を有する環流突起がそれぞれ嵌入される。
【００７５】
また、ポンプ継ぎ手ユニット２１の給水孔部２１ｂおよびトレイ水戻し孔２１ｃには、図７（ａ）に示す気化フィルタユニット１５における給水孔１９ａを有するトレイ給水突起１９および排水孔２０ａを有するトレイ還流突起２０がそれぞれ嵌入される。
【００７６】
なお、ポンプ継ぎ手ユニット２１の吸い上げ孔部２１ａおよびタンク戻し孔部２１ｄは、それぞれ水タンク１３を取り付ける際に水タンク１３の給水突起および環流突起を案内する円錐面２１ａ１，２１ｄ１が形成されるとともに、水タンク１３が外された場合にポンプ継ぎ手ユニット２１内の流路に残る水が漏れないように、内部から外方に向かって付勢される流路蓋２１ａ２，２１ｄ２が取り付けられている。
【００７７】
同様に、ポンプ継ぎ手ユニット２１の給水孔部２１ｂおよびトレイ水戻し孔部２１ｃは、それぞれ気化フィルタユニット１５を取り付ける際に気化フィルタユニット１５のトレイ給水突起１９およびトレイ還流突起２０を案内する円錐面２１ｂ１，２１ｃ１が形成されるとともに、気化フィルタユニット１５が外された場合にポンプ継ぎ手ユニット２１内の流路に残る水が漏れないように、内部から外方に向かって付勢される流路蓋２１ｂ２，２１ｃ２がそれぞれ取り付けられている。
【００７８】
この構成により、水タンク１３（図２（ｂ），図３参照）内の水が、図９に示すポンプ継ぎ手ユニット２１のポンプｐが稼働することにより、ポンプ継ぎ手ユニット２１の吸い上げ孔部２１ａ（図９参照）を介して汲み上げられ、ポンプ継ぎ手ユニット２１内の流路を通ってポンプｐを介して給水孔部２１ｂ（図９参照）から、気化フィルタユニット１５の給水トレイ１８（図２（ｂ），図３参照）に給水が行われる。
【００７９】
一方、給水トレイ１８（図２（ｂ），図３参照）からオーバーフローした水は、トレイ水戻し孔部２１ｃ（図９参照）に流入し、ポンプ継ぎ手ユニット２１（図９参照）内の流路を通ってタンク戻し孔部２１ｄから、水タンク１３（図３，図６参照）に戻される。
【００８０】
給水トレイ１８（図３，図７（ａ）参照）に水を供給するポンプ継ぎ手ユニット２１の給水孔部２１ｂを、ポンプ継ぎ手ユニット２１（図９参照）のトレイ水戻し孔部２１ｃより、上方に配置することにより、給水トレイ１８には、水が上方から供給され、給水トレイ１８からオーバーフローして排水される水は、下方から排水されるので、給水トレイ１８内の水が循環し、死に水、すなわち、給水トレイ１８内に滞留する水が発生せず、清潔な状態を維持することができる。
【００８１】
＜水タンク１３，気化フィルタユニット１５の空気清浄機１からの取り外し，取り付け＞
図１０（ａ）は、空気清浄機１内に水タンク１３および気化フィルタユニット１５を収納した場合を示す斜視図であり、図１０（ｂ）は、空気清浄機１から取り外した水タンク１３および気化フィルタユニット１５をそれぞれ空気清浄機１に取り付ける場合の空気清浄機１内のポンプ継ぎ手ユニット２１との関係を示す斜視図である。
【００８２】
図１０（ａ）に示すように、水タンク１３への給水時、空気清浄機１内の水タンク１３は、ユーザが水タンク１３の把っ手部１３ａ１をもって引き出すことで、白抜き矢印β１１のように、水タンク１３を空気清浄機１外に取出すことができる。
【００８３】
ここで、空気清浄機１には水タンク１３を空気清浄機１外に取出したことを検知する水タンクセンサＥ６（図５参照）が備えられており、水タンク１３を空気清浄機１外に取出した場合に、制御装置Ｅは空気清浄機１の電源をオフし、空気清浄機１の作動の制限を図っている。
【００８４】
気化フィルタユニット１５の掃除時には、図１０（ａ）に示すように、空気清浄機１のフィルタ取り出し蓋１ｔを開放して、白抜き矢印β１２のように、空気清浄機１内の気化フィルタユニット１５を空気清浄機１外に取出すことができる（図１０（ｂ）参照）。
【００８５】
ここで、空気清浄機１には水タンク１３と同様に、気化フィルタユニット１５を空気清浄機１外に取出したことを検知するセンサ（図示せず）が備えられている。このセンサを利用して、気化フィルタユニット１５を空気清浄機１外に取出した場合に空気清浄機１の電源をオフし、空気清浄機１の作動の制限を図ってもよい。
【００８６】
一方、取り外した水タンク１３を空気清浄機１に取り付ける場合、図１０（ｂ）に示すように、水タンク１３を、白抜き矢印β２１のように、空気清浄機１のタンク取り付け口１ｍに挿入し、水タンク１３の給水突起および環流突起を、それぞれ空気清浄機１内のポンプ継ぎ手ユニット２１の吸い上げ孔部２１ａおよびタンク戻し孔部２１ｄに嵌入することで、水タンク１３を空気清浄機１に取り付ける。
【００８７】
なお、水タンク１３の給水突起および環流突起は、それぞれ空気清浄機１内のポンプ継ぎ手ユニット２１の吸い上げ孔部２１ａの円錐面２１ａ１（図９参照）およびタンク戻し孔部２１ｄの円錐面２１ｄ１（図９参照）によって案内され円滑にポンプ継ぎ手ユニット２１の吸い上げ孔部２１ａおよびタンク戻し孔部２１ｄに嵌入することができる。
【００８８】
一方、取り外した気化フィルタユニット１５を空気清浄機１に取り付ける場合、図１０（ｂ）に示すように、気化フィルタユニット１５を、白抜き矢印β２２のように、空気清浄機１のフィルタ口１ｎに挿入し、気化フィルタユニット１５のトレイ給水突起１９およびトレイ還流突起２０を、それぞれ空気清浄機１内のポンプ継ぎ手ユニット２１の給水孔部２１ｂおよびトレイ水戻し孔部２１ｃに嵌入することで、気化フィルタユニット１５を空気清浄機１内に取り付け、図１０（ａ）に示すように、フィルタ取り出し蓋１ｔを閉塞し、気化フィルタユニット１５の空気清浄機１への取り付けを終了する。
【００８９】
なお、気化フィルタユニット１５のトレイ給水突起１９およびトレイ還流突起２０は、それぞれ空気清浄機１内のポンプ継ぎ手ユニット２１の給水孔部２１ｂの円錐面２１ｂ１およびトレイ水戻し孔部２１ｃの円錐面２１ｃ１によって案内され円滑にポンプ継ぎ手ユニット２１の給水孔部２１ｂ１およびトレイ水戻し孔部２１ｃに嵌入することができる。
【００９０】
本構成により、水タンク１３に給水する場合、水タンク１３のみを、気化フィルタ６を有する気化フィルタユニット１５から独立して取り出せるので、水タンク１３への給水が容易であり、取扱性に優れる。
【００９１】
また、図１０（ａ）に示すように、空気清浄機１内の水タンク１３と気化フィルタユニット１５とが独立した構成なので、空気清浄機１内の水タンク１３と気化フィルタユニット１５との間にスペースが形成され、このスペースに強度部材を設けることができ、強度が高い空気清浄機１の支持構造が得られる。
【００９２】
《除湿ユニットの構造》
空気清浄機１において、図２（ｂ）の白抜き矢印α１１のようにフィルタユニット５を通ってろ過され清浄にされた空気を加湿する除湿モードを行うための除湿ユニットについて説明する。
【００９３】
図１１は、後方（図２（ｂ）の紙面右側）から見たデシカントロータ９，ヒータ３３等の除湿ユニットを示す図２（ｂ）のＤ−Ｄ線断面図である。図１２は、デシカントロータ９，ヒータ３３を覆うヒータケース３４，ファンケーシング３１等を取り外した状態を示す斜視図である。
【００９４】
図１３は、除湿ユニットを構成する凝縮器１１近傍を示す図２（ｂ）のＥ−Ｅ線断面図であり、図１４は、除湿ユニットを構成する凝縮器１１近傍を示すＦ−Ｆ線断面図である。
【００９５】
除湿ユニットは、図１１の矢印β１１のように回転されフィルタユニット５を通って（図２（ｂ）の白抜き矢印α１１参照）清浄にされた空気の水分を吸湿するデシカントロータ９と、デシカントロータ９に温風を送る送風源でありファンケーシング３１（図１１，図１２参照）に覆われる除湿ファン（図示せず）と、ヒータケース３４に覆われ該除湿ファンから送られる空気に熱を付与し温風にするヒータ３３と、ヒータ３３により加熱された熱風によりデシカントロータ９から気化された水分を含む空気を冷却し該空気中の水分を凝縮する凝縮器１１（図１３参照）と、デシカントロータ９の回転を検知する光反射型センサ４０（図５，図１４，図１６（ｂ）参照）とを備えている。
【００９６】
ここで、図１３に示す凝縮器１１においては、ヒータ３３により加熱された熱風によりデシカントロータ９から気化された水分を含む空気が、多数の後記の格子部１１ｂ１内を上から下に通流されることで冷却され、該空気中の水が凝縮される。
【００９７】
図２（ｂ）に示すように、空気清浄機１は、除湿ユニットにおける空気の水分を吸収するデシカントロータ９を上方に配置するとともに気化フィルタユニット１５をデシカントロータ９より下方に配置している。また、空気清浄機１は、デシカントロータ９が吸湿した水分を気化した空気を凝縮する流路をもつ凝縮部の格子部１１ｂ１を有する凝縮器１１で、デシカントロータ９および気化フィルタユニット１５の前方を覆って配置している。
【００９８】
これにより、デシカントロータ９と気化フィルタユニット１５とが上下に配置され、凝縮器１１で、デシカントロータ９および気化フィルタユニット１５の前方を覆って配置するので、空気清浄機１の薄型化が可能である。
【００９９】
また、凝縮部を有する凝縮器１１の上下方向の寸法を大きくできるので、凝縮器１１の凝縮性能を向上できる。
【０１００】
さらに、凝縮器１１でデシカントロータ９および気化フィルタユニット１５の前方を覆っているので、吸入された空気が排出されるまでの通風抵抗を同じようにできるので、動作モードに係わらず同じ風量にすることができ、運転モードによって遠心ファンの回転速度を変える必要がないので、発生する動作音が変わってしまうということもない。より好ましくは、デシカントロータ９と気化フィルタ６のセル（穴）の大きさを調整して通風抵抗を合わせて空気の流れを同じようにすると良い。
【０１０１】
＜ファンケーシング３１，ヒータ３３，ヒータケース３４等の構成＞
図１１，図１２に示すファンケーシング３１内には、内部にデシカントロータ９に吸湿された水分を気化する風を供給するために除湿ファンモータＥ７（図５参照）で駆動される除湿ファン（図示せず）が配設されており、該ファンケーシング３１に隣接してヒータアッセンブリ３３Ｓが配置されている。
【０１０２】
ここで、ヒータ３３とヒータ３３が内部に設けられたヒータケース３４とを有する組み立て体をヒータアッセンブリ３３Ｓと称す。
【０１０３】
図１５（ａ）は、ヒータ３３とヒータ３３が内部に設けられたヒータケース３４とを有するヒータアッセンブリ３３Ｓを示す斜視図であり、図１５（ｂ）は、ヒータアッセンブリ３３Ｓをヒータ３３側から見た図である。
【０１０４】
ここで、図１２に示すファンケーシング３１とヒータアッセンブリ３３Ｓ（図１５参照）との接続部３０Ｓには、ファンケーシング３１に送風口（図示せず）が開口されるとともに、該ファンケーシング３１の送風口（図示せず）に対向してヒータケース３４に受風口（図示せず）が開口されており、ファンケーシング３１内の除湿ファン（図示せず）によって送風される空気がヒータ３３を有するヒータアッセンブリ３３Ｓ内に送られる構成である。
【０１０５】
＜ファンケーシング３１＞
図１１，図１２に示すファンケーシング３１は、例えば、ポリスチレンを用いて射出成形により、除湿ファン（図示せず）を覆うとともに、凝縮器１１で水分が凝縮された後の空気が送られる凝縮された後の空気受風口（図示せず）とヒータケース３４に接続される送風口（図示せず）とを有し、かつ凝縮器１１で水分が凝縮された後の空気を除湿ファンによりヒータアッセンブリ３３Ｓへ送る送風路を具える形状に形成されている。
【０１０６】
＜ヒータアッセンブリ３３Ｓ＞
図１１，図１２に示すヒータアッセンブリ３３Ｓのヒータケース３４は、図１５に示すように、ニクロム線のヒータ３３が取り付けられる第１ヒータケース３４ａと、平板状の第２ヒータケース３４ｂとが別体に製造され、互いを合わせて構成されている。
【０１０７】
ヒータ３３は、第１ヒータと第２ヒータとを有し、所定の発熱量を得ている。なお、ヒータ３３は、単数または複数で構成してもよく、その数は限定されない。
【０１０８】
図１５に示す第１ヒータケース３４ａは、例えば、アルミメッキ鋼板を用いて、絞り加工により成形され、受風口（図示せず）が開口される受風部３４ａ１とヒータ３３が取り付けられるとともにヒータ３３に電流を流すための結線ｋが導出されるヒータ収容部３４ａ２とを有する形状に成形されている。
【０１０９】
図１５（ｂ）に示す第２ヒータケース３４ｂは、例えば、ステンレス鋼板を用いて、ほぼ平板状に形成され、ヒータ３３で加熱された空気を送るための送風孔３４ｂ１が開口されている。
【０１１０】
図１１，図１２に示すように、ヒータアッセンブリ３３Ｓは、ファンケーシング３１の送風口（図示せず）に対向させるとともにファンケーシング３１に隣接して、第２ヒータケース３の３４ｂの送風孔３４ｂ１を、フィルタユニット５を通って清浄にされた空気の水分を吸湿するデシカントロータ９に対向して取り付けられる。
【０１１１】
これにより、凝縮器１１で水分が凝縮された後の空気が、凝縮器１１の送風口１１ａ２（図１６（ｂ），図１７参照）と凝縮空気受風口とを介してファンケーシング３１に送られ、送られたファンケーシング３１内の空気が、除湿ファン（図示せず）により、ファンケーシング３１の送風口およびヒータケース３４の受風口を介して、ヒータアッセンブリ３３Ｓのヒータケース３４内に送風される。そして、ヒータ３３により加熱された空気が、図１５（ｂ）に示す第２ヒータケース３４の送風孔３４ｂ１から、清浄にされた空気の水分を吸湿したデシカントロータ９に吹き付けられ、デシカントロータ９に吸湿された水分を気化する。
【０１１２】
この構成によれば、デシカントロータ９に対向するヒータ３３を有するヒータケース３４において、図１２，図１５に示すように、ヒータ３３に近接するとともにデシカントロータ９の吸湿面に対向する第１ヒータケース３４ａの受風部３４ａ１（図１２参照）が金属で形成されるため、樹脂製のファンケーシング３１とヒータ３３とが離隔され、樹脂製のファンケーシング３１がヒータ３３の熱により、溶融することが抑制される。
【０１１３】
また、ファンケーシング３１とヒータ３３とは受風部３４ａ１を介して接続し、直接対向しないようにしている。すなわち、ファンケーシング３１の送風口とヒータケース３４の送風孔３４ｂ１が対向しないように所定の角度をもたせて接続している。
【０１１４】
これにより、ヒータ３３の輻射熱がファンケーシング３１に当たることがなく、ヒータ３３の異常時においても、変形や溶融などのリスクを軽減することができる。
【０１１５】
さらに、第１ヒータケース３４ａの受風部３４ａ１は金属であるため、熱伝導率が高く、ファンケーシング３１から送られ第１ヒータケース３４ａの受風部３４ａ１を通流する空気の温度がヒータ３３の熱により高くなり、もって飽和絶対湿度が高くなり、第１ヒータケース３４ａの受風部３４ａ１内への露付きが抑制される。
【０１１６】
《デシカントロータ９の回転検出》
図１６（ａ），（ｂ）は、図１２に示すデシカントロータ９，ヒータケース３４，ファンケーシング３１，デシカントロータ支持部材３６等のアッセンブリを分解した斜視図であり、このうち図１６（ａ）は、デシカントロータ９を示す斜視図であり、図１６（ｂ）は、デシカントロータ支持部材３６，ロータ駆動歯車３７を示す斜視図である。
【０１１７】
また、図１６（ｃ）は、図１６（ａ）に示すデシカントロータ９の背面からの斜視図である。
【０１１８】
＜デシカントロータ９＞
図１６（ａ）に示すデシカントロータ９は、通流される空気の水分を吸湿するデシカント９ａと、デシカント９ａの外周部に配置されデシカントロータ９を回転させるための樹脂性の外周歯車９ｂと、デシカント９ａの一面に配置されデシカント９ａを保持するデシカント保持部材９ｃ（図１６（ｃ）参照）とを有している。
【０１１９】
図１６（ｃ）に示すように、デシカント保持部材９ｃは、例えば、０.４mm厚のステンレス鋼板をプレス加工等により、中央部９ｃ１と、中央部９ｃ１から放射状に形成される放射支持部９ｃ２と、放射支持部９ｃ２を支持する形状の第１円部９ｃ３，放射支持部９ｃ２を支持する形状であるとともに外周歯車９ｂにネジｎ１止めされる第２円部９ｃ４を有する格子状に形成されている。
【０１２０】
＜デシカントロータ支持部材３６＞
図１６（ｂ）に示すように、デシカントロータ支持部材３６は、例えば、ポリスチレン等を用いて樹脂成形される樹脂成形品であり、デシカントロータ９の回転軸（図示せず）が挿通される軸孔３６ａ１が形成される中央部３６ａと、中央部３６ａから放射状に形成される４本の放射部３６ｂと、放射部３６ｂが接続されるとともにロータ駆動歯車３７を収容する歯車収容部３６ｃ１が形成される外周部３６ｃとを有する形状に形成されている。
【０１２１】
ここで、ロータ駆動歯車３７が、図５に示すデシカント駆動モータ３７ｍによって駆動されることで外周歯車９ｂが回転し、デシカントロータ９が回転駆動される。なお、デシカント駆動モータ３７ｍは、回転センサ３７ｍ１を有しており、回転センサ３７ｍ１で検出したデシカント駆動モータ３７ｍの回転検出信号がマイコンＥ１に入力され、デシカント駆動モータ３７ｍの回転制御がなされている。
【０１２２】
図１６（ｂ）に示すデシカントロータ支持部材３６は、放射部３６ｂが形成されることにより、図３，図２（ｂ）のＦ−Ｆ線断面図の図１４に示すように、放射部３６ｂ間の空間を通って、フィルタユニット５を通って清浄にされた空気がデシカントロータ９に当たるように構成されている。
【０１２３】
図１６（ｂ）に示すデシカントロータ支持部材３６の放射部３６ｂは、一部がリブ状放射部３６ｂ１に形成されており、リブ状放射部３６ｂ１のリブ３６ｂ１１のデッドスペースに、光反射型センサ４０が配置されている。
【０１２４】
この光反射型センサ４０は、デシカントロータ９が回転することにより、金属製のデシカント保持部材９ｃの放射支持部９ｃ２（図１６（ｃ）参照）に光を当ててその反射光を検出することにより、デシカントロータ９の回転を検出することができる。
【０１２５】
この光反射型センサ４０をデシカントロータ支持部材３６のリブ状放射部３６ｂ１に取り付けることにより、光反射型センサ４０を取り付ける取り付け部品が不要で、簡素な構成となる。そのため、低コスト化が可能である。
【０１２６】
加えて、図１６（ｂ）に示すように、光反射型センサ４０は、デシカントロータ支持部材３６のリブ状放射部３６ｂ１のデッドスペースに配置されるため、空気清浄機１の小型化に寄与する。
【０１２７】
＜凝縮器１１＞
図１７（ａ）は、図２（ｂ）のＥ−Ｅ線断面図の図１３に示す凝縮器１１の正面図であり、図１７（ｂ）は、図１７（ａ）に示す凝縮器１１の背面図である。図１８は、図１７（ａ）に示す凝縮器１１の分解図である。
【０１２８】
図１７に示す凝縮器１１は、ヒータケース３４内のヒータ３３により加熱された温風が、フィルタユニット５を通って清浄にされた空気の水分を吸湿したデシカントロータ９を挿通し、デシカントロータ９の水分を気化し該気化した水分を含んだ温風が流入する温風流入口１１ａ１（図１７（ｂ）参照）と、凝縮器１１の格子状の格子部１１ｂ１内の流路を上から下に凝縮下部材１１ｃまで通流し冷却され凝縮した水が排出される凝縮水排出孔１１ｃ１と、凝縮下部材１１ｃを通り凝縮後の空気が凝縮下部材１１ｃから戻し流路１１ｂ２を通った後に再び、ファンケーシング３１（図１１，図１２参照）内に送るための送風口１１ａ２（図１７（ｂ）参照）とが形成されている。
【０１２９】
ここで、凝縮器１１の凝縮水排出孔１１ｃ１から排出される凝縮水は、水タンク１３の集水孔１３ｂ１（図６参照）または水タンク１３の水タンク蓋１３ｂに滴下され、水タンク１３の集水孔１３ｂ１を通じて水タンク１３内に貯留される。
【０１３０】
凝縮器１１は、図１８に示すように、凝縮上部材１１ａと、凝縮上部材１１ａに連結される４つの同一形状の凝縮中部材１１ｂと、凝縮中部材１１ｂと連結される凝縮下部材１１ｃと、側部の凝縮保持部材１１ｄ，１１ｅ（図１７参照）とで構成されている。
【０１３１】
図１７，図１８に示す凝縮上部材１１ａは、例えば、ポリプロピレンを用いて射出成形により成形される樹脂成形品である。
【０１３２】
凝縮上部材１１ａは、デシカントロータ９の水分を気化し該気化した水分を含んだ温風が通流する凝縮前室１１ａ３と凝縮後の空気が通流する凝縮後室１１ａ４とに画成されている。
【０１３３】
そして、凝縮上部材１１ａは、デシカントロータ９の水分を気化し該気化した水分を含んだ温風が流入する温風流入口１１ａ１（図１７（ｂ）参照）が凝縮前室１１ａ３に開口され、また、凝縮後の空気がファンケーシング３１（図１１，図１２参照）に向けて排出される送風口１１ａ２（図１７（ｂ）参照）が凝縮後室１１ａ４に開口されている。
【０１３４】
また、凝縮上部材１１ａは、前面の下部および背面の下部に、凝縮中部材１１ｂの係止部の係止爪１１ｂ３（図１８参照）が係止する被係止孔１１ａ５１を有する複数の被係止部１１ａ５が形成されている。
【０１３５】
図１７，図１８に示す凝縮中部材１１ｂは、例えば、ポリプロピレンを用いて射出成形により成形される樹脂成形品である。
【０１３６】
凝縮中部材１１ｂは、内部に上下に貫通し、水分を含んだ温風が通流するための流路を有する格子状の多数の格子部１１ｂ１と、凝縮後の空気が通流する戻し流路１１ｂ２（図１７参照）とに画成されている。
【０１３７】
そして、凝縮中部材１１ｂは、図１８に示すように、前面および背面のそれぞれの上部に、凝縮器１１の組み立てに際して隣接する凝縮上部材１１ａまたは他の凝縮中部材１１ｂの被係止部１１ｂ４の被係止孔１１ｂ４１に係止するための係止爪１１ｂ３が形成され、また、前面および背面のそれぞれの下部に、隣接する他の凝縮中部材１１ｂまたは凝縮下部材１１ｃの係止爪１１ｃ２が係止されるための被係止孔１１ｂ４１を有する複数の被係止部１１ｂ４が形成されている。
【０１３８】
図１７，図１８に示す凝縮下部材１１ｃは、例えば、ポリプロピレンを用いて射出成形により成形される樹脂成形品である。
【０１３９】
凝縮下部材１１ｃは、図１８に示すように、上方が開口した中空状に形成されるとともに、その底壁板は中央にいくに従い下方に傾斜して形成され、最下部に凝縮した水が排出される凝縮水排出孔１１ｃ１が開口されている。
【０１４０】
凝縮下部材１１ｃは、前面および背面のそれぞれの上部に、凝縮中部材１１ｂの被係止部１１ｂ４の係止孔１１ｂ４１に係止するための係止部の係止爪１１ｃ２が形成されている。
【０１４１】
図１７，図１８に示す凝縮保持部材１１ｄ，１１ｅは、それぞれ薄板の鋼板を用いて製造される横断面コ字状の長尺部品であり、凝縮上部材１１ａ，複数の凝縮中部材１１ｂ、および凝縮下部材１１ｃを弾性力をもって内部に鋏み固定するように構成されている。
【０１４２】
凝縮器１１の組み立ては、以下の通りである。
【０１４３】
図１８に示すように、まず、凝縮中部材１１ｂは、上側の係止爪１１ｂ３が上側に配置される他の凝縮中部材１１ｂの被係止部１１ｂ４の係止孔１１ｂ４１に弾性変形して係止されるとともに、下側の被係止部１１ｂ４の係止孔１１ｂ４１が下側に配置される他の凝縮中部材１１ｂの係止爪１１ｂ３に弾性変形して係止されることにより、４つの凝縮中部材１１ｂが連結される。
【０１４４】
そして、最上部の凝縮中部材１１ｂの係止爪１１ｂ３を、凝縮上部材１１ａの被係止部１１ａ５の被係止孔１１ａ５１に弾性変形させ係止し、凝縮上部材１１ａを最上部の凝縮中部材１１ｂに連結する。
【０１４５】
続いて、最下部の凝縮中部材１１ｂの被係止部１１ｂ４の被係止孔１１ｂ４１に、凝縮下部材１１ｃの係止爪１１ｃ２を弾性変形させ係止し、凝縮下部材１１ｃを最下部の凝縮中部材１１ｂに連結する。
【０１４６】
最後に、凝縮上部材１１ａ，４つの凝縮中部材１１ｂ、および凝縮下部材１１ｃの連結体の側部を、図１７に示すように、左右から横断面コ字状部材の凝縮保持部材１１ｄ，１１ｅを弾性変形させ中に挟み、凝縮器１１の組み立てが完了する。
【０１４７】
上述したように、凝縮中部材１１ｂを同一形状に射出成形により成形し、複数の凝縮中部材１１ｂを弾着させ連結し凝縮器１１を組み立てることにより、凝縮器１１を製造するための金型にかかるコストを低減できる。
【０１４８】
また、空気が通流し凝縮させるための流路が形成される格子部１１ｂ１を有する凝縮中部材１１ｂが射出成形により成形されるので、流路が形成される格子部１１ｂ１の肉厚が均一に形成できる。
【０１４９】
そのため、水分を含んだ空気を凝縮する能力が安定し、凝縮性能が良好となる。
【０１５０】
また、凝縮器１１を複数の凝縮中部材１１ｂを連結した構成にしているので、格子部１１ｂ１を短くでき、凝縮中部材１１ｂの結合部では各格子部１１ｂ１に分かれた流れが合流する部分となっているので、この合流部によって各格子部１１ｂ１間の流れを均一化することができて熱交換効率を向上させることができる。
【０１５１】
なお、凝縮器１１における係止部の位置と被係止部の位置とを反対の位置に設けてもよいのは勿論である。
【０１５２】
《空気清浄機１の操作》
図１，図４に示す空気清浄機１における操作パネル６０の操作ボタン５０の押下による操作制御は、以下のように、制御装置Ｅ（図５参照）によって行われるものである。
【０１５３】
図４は本実施例における操作パネル６０を示す図である。
【０１５４】
操作パネル６０において、５１は電源入・切ボタンであり、５２ａは風量ボタンであり、５２ｂはｅｃｏ運転ボタンであり、５２ｃはセルフ乾燥ボタンであり、５２ｄはスイングボタンであり、５２ｅはタイマーボタンであり、５２ｆはリセットボタンであり、５３はまかせてスタートボタンであり、５４は除湿空清ボタンであり、５５は加湿空清ボタンであり、５６は空清ボタンである。また、操作パネルにはクリーンモニターが配置されており、空気の汚れ具合を確認することができる。クリーンモニターはＬＥＤにより空気がきれいな場合は青色に点灯し、空気が汚れている場合は赤色に点灯する。中間の場合は紫色に点灯する。
【０１５５】
また、風量ボタン５２ａの上部には自動，花粉，風量の「静」「弱」「中」「強」を表す表示があり、それぞれ点灯・点滅するようになっている。「強」の表示が点滅するときは「ターボ」モードを示す。ｅｃｏ運転ボタン５２ｂの上部にはｅｃｏ運転の状態を示す表示があり、点灯するようになっている。セルフ乾燥ボタン５２ｃの上部にはセルフ乾燥運転の状態を示す表示があり、点灯するようになっている。タイマーボタン５２ｄの上部には２，４という表示があり、それぞれ点灯するようになっている。リセットボタン５２ｆの上部にはチャイルドロックの表示があり、点灯するようになっている。リセットボタン５２ｆとタイマーボタン５２ｅの間には水タンク１３の状態を示す満水，給水，タンクなしの表示があり、それぞれ点灯するようになっている。加湿フィルタの状態を示すお手入れ，水交換の表示があり、それぞれ点灯するようになっている。空清ボタン５６の上部には空清，強脱臭の表示があり、それぞれ点灯・点滅するようになっている。加湿空清ボタン５５の上部には加湿，肌保湿の表示があり、それぞれ点灯・点滅するようになっている。除湿空清ボタン５４の上部には除湿，衣類乾燥，結露セーブの表示があり、それぞれ点灯・点滅するようになっている。まかせてスタートボタン５３の上部にまかせてスタート運転の状態を示す表示があり、点灯するようになっている。セルフ乾燥ボタン５２ｃ，スイングボタン５２ｄ，タイマーボタン５２ｅの上部には湿度モニターがあり、３０，４０，５０，６０，７０という表示があり、それぞれ点灯するようになっている。本実施例において点灯はＬＥＤで行われるが、それに限るものではなく、電球，電灯などでも構わない。
【０１５６】
空気清浄機１の上部前面の操作パネル６０の電源入・切ボタン５１を押下することにより、空気清浄機１の電源をオンする。
【０１５７】
図１に示す操作パネル６０のリセットボタン５２ｆを３秒以上押下することで、チャイルドロック状態となり、チャイルドロックの表示が点灯する。チャイルドロック状態では電源入・切以外の操作ボタンを押下しても、操作できなくできる。リセットボタン５２ｆを３秒以上押下する毎にチャイルドロックの設定と解除を繰り返す。解除のときはランプが消灯する。
【０１５８】
図１に示す操作パネル６０の風量切替えボタン５２ａを押下すると、ファンモータ７の回転数を上げて空気清浄機１の風量を増加したり、ファンモータ７の回転数を下げて風量を減少できる。風量の変化は自動表示の点灯や花粉表示の点灯や風量の強弱を示す表示の点灯により確認できる。ファンモータ回転モードとして「静」「弱」「中」「強」「ターボ」があり、風量の強さは「静」「弱」「中」「強」「ターボ」の順に強くなり、ファンモータ７の回転数や消費電力，運転音もそれに応じて増加する。ファンモータ回転モード「弱」が最も少ない回転数で回転するモードであり、ファンモータ回転モード「ターボ」が最も多い回転数で回転するモードである。例えば、空清運転においての風量「静」では風量０.６ｍ3／分、消費電力４.５Ｗ、運転音１５ｄＢであり、風量「弱」では風量１.５ｍ3／分、消費電力５.５Ｗ、運転音２４ｄＢであり、風量「中」では風量２.８ｍ3／分、消費電力１０Ｗ、運転音３５ｄＢであり、風量「強」では風量４.２ｍ3／分、消費電力１７Ｗ、運転音４３ｄＢであり、風量「ターボ」では風量７.５ｍ3／分、消費電力５０Ｗ、運転音５１ｄＢである。また、それぞれの運転モードに応じて指定できる風量は異なる。例えば、空気清浄モードでは自動，花粉，風量「静」「中」「強」「ターボ」を選ぶことができ、風量切換えボタン５２ａを押下する毎に切り替わる。強脱臭モードでは自動，風量「中」「強」「ターボ」を選ぶことができる。加湿モードと肌保湿モードでは自動，風量「弱」「中」「強」「ターボ」を選ぶことができる。除湿モードでは自動，風量「中」「強」「ターボ」を選ぶことができる。衣類乾燥モードでは風量「中」「強」「ターボ」を選ぶことができる。結露セーブモードでは自動，風量「中」「強」「ターボ」を選ぶことができる。セルフ乾燥モードでは自動で運転しており、風量切換ボタン５２ａを押下しても受け付けない。
【０１５９】
操作パネル６０の空清ボタン５６を押下すると、空気清浄モード、あるいは強脱臭モードが選択される。空気清浄モードと強脱臭モードは空清ボタン５６を押すごとに切り替わる。
【０１６０】
空気清浄モードが選択されると、空清ボタン５６上部の空気清浄表示が点灯し、ファンモータ７とフラップ２ｔが稼働する。空気清浄モードでは、ダストセンサＥ５と臭いセンサＥ４により検知される部屋の空気の状態に合わせて自動でファンモータ７による風量を調整し、集塵・脱臭を行う。フラップ２ｔは徐々に開き、上方向で停止する。ファンモータ７の稼動により空気をクリアランスｃ（図１，図２（ｂ）参照）を介して図２（ｂ）の白抜き矢印α１１のように、吸い込み，フィルタユニット５を通し清浄にし、清浄にされた空気が、ファンケーシング８で案内され、フラップ２ｔが開放された排出口２ｏ（図１，図２（ｂ）参照）から排出される。風量ランプは自動が点灯し、臭いセンサＥ４とダストセンサＥ５で検知した空気の汚れ度合いにより風量を自動的に切り換える。空気の汚れ度合いはクリーンモニターに表示される。空気清浄モード時に電源入・切ボタン５１を押下することで運転が停止され電源が切れる。その場合、全てのランプが消灯し、フラップ２ｔが閉じる。空気清浄モードを選択した時点では風量が自動となる。風量自動の場合は最初の３分間は風量「中」で運転し、その後は空気の汚れ度合いにより風量が切り替わる。空気清浄モードの自動運転時の風量範囲は「静」「弱」「中」「強」である。好みにより風量を変更したい場合は、風量切換ボタン５２ａにより切り換えることができる。なかでも花粉風量は空気清浄モードの場合のみに選ぶことができる。花粉風量ではダストセンサＥ５と臭いセンサＥ４で検知した空気の汚れ度合いにより風量が自動的に「静」「弱」「中」の範囲で切り替わる。
【０１６１】
強脱臭モードが選択されると、空清ボタン５６上部の強脱臭表示が点灯し、ファンモータ７とフラップ２ｔが稼動する。強脱臭モードでは、最初の１分間、ターボ運転を行い、その後も臭いセンサＥ４により臭いを検知するとファンモータ７により風量を高めた運転を行うことで、すばやく脱臭する。フラップ２ｔは徐々に開き、上方向で停止する。臭いセンサＥ４で検知される臭いの感度を空気清浄モードよりも敏感にするとともに、ダストセンサＥ５で検知されるダストの感度を空気清浄モードよりも鈍感にし、空気の臭いに敏感に空気清浄モードを稼働させることができる。強脱臭モード時に電源入・切ボタン５１を押下することで運転が停止され電源が切れる。その場合、全てのランプが消灯し、フラップ２ｔが閉じる。強脱臭モードを選択した時点では風量が自動となる。風量自動の場合は最初の１分間は「ターボ」で運転し、その後は空気の汚れ度合いにより風量が切り替わる。強脱臭モードの自動運転時の風量範囲は「弱」「中」「強」「ターボ」である。好みにより風量を変更したい場合は、風量切換ボタン５２ａにより切り換えることができる。
【０１６２】
図１に示す操作パネル６０の加湿空清ボタン５５を押下すると、加湿モード、あるいは肌保湿モードが選択される。加湿モードと肌保湿モードは加湿空清ボタン５５を押すごとに切り替わる。
【０１６３】
加湿モードが選択されると、加湿空清ボタン５５上部の加湿表示が点灯し、ファンモータ７とフラップ２ｔとポンプｐが稼動する。加湿モードでは、清浄された空気による加湿で、乾燥した部屋の湿度を高める。空気清浄モードに加湿機能が付加され、ポンプ継ぎ手ユニット２１のポンプｐが稼働状態になり、気化フィルタユニット１５の給水トレイ１８（図７（ａ）参照）に給水し、気化フィルタ６に給水トレイ１８の水を含ませ、フィルタユニット５を通って清浄にした空気を気化フィルタ６を通流させ、加湿してフラップ２ｔが開放された排出口２ｏ（図１，図２（ｂ）参照）から排出できる。加湿モードではヒータを使わない気化式を用いている。加湿モード時に電源入・切ボタン５１を押下することで運転が停止され電源が切れる。その場合、全てのランプが消灯し、フラップ２ｔが閉じる。加湿モードを選択した時点では風量は自動となる。風量自動の場合は最初の３分間は「強」で運転し、その後は空気の汚れ度合いにより風量が切り替わる。加湿モードの自動運転時の風量範囲は「静」「弱」「中」「強」である。好みにより風量を変更したい場合は、風量切換ボタン５２ａにより切り換えることができる。
【０１６４】
肌保湿モードが選択されると、加湿空清ボタン５５上部の肌保湿表示が点灯し、ファンモータ７とフラップ２ｔとポンプｐが稼動する。肌加湿モードでは、部屋の湿度を約６０％に保つよう制御される。空気清浄モードに加湿機能が付加された場合の湿度センサＥ３で検知される空気の湿度に敏感に加湿を行うことができる。例えば、加湿モードで通常、湿度５０％以下の場合に空気清浄モードに加湿機能が働くが、肌保湿モードでは湿度６０％以下の場合に空気清浄モードに加湿機能を働かせる。つまり、肌保湿モードでは、加湿モードに対して２割程度設定湿度を上げる。よって、肌保湿モードでは、加湿モードに比較して、室内を高い湿度（例えば、６０％）に保持できる。肌加湿モードではヒータを使わない気化式を用いている。肌保湿モード時に電源入・切ボタン５１を押下することで運転が停止され電源が切れる。その場合、全てのランプが消灯し、フラップ２ｔが閉じる。肌加湿モードを選択した時点では風量は自動となる。風量自動の場合は最初の３分間は「強」で運転し、その後は空気の汚れ度合いにより風量が切り替わる。肌加湿モードの自動運転時の風量範囲は「静」「弱」「中」「強」である。好みにより風量を変更したい場合は、風量切換ボタン５２ａにより切り換えることができる。
【０１６５】
図１に示す操作パネル６０の除湿空清ボタン５４を１秒以上押下すると、除湿モード，衣類乾燥モード、あるいは結露セーブモードが選択される。除湿モードの状態で除湿空清ボタン５４を１秒以上押下すると衣類乾燥モードに切り替わる。衣類乾燥モードの状態で除湿空清ボタン５４を１秒以上押下すると結露セーブモードに切り替わる。結露セーブモードの状態で除湿空清ボタン５４を１秒以上押下すると除湿モードに切り替わる。除湿モードの状態で結露セーブモードにしたい場合は、除湿空清ボタン５４を１秒以上押下し衣類乾燥モードとした後に除湿空清ボタン５４から一度指を離し再度除湿空清ボタン５４を１秒以上押下する必要がある。衣類乾燥モードの状態で除湿モードにしたい場合や結露セーブモードの状態で衣類乾燥モードにしたい場合も同様の操作を行う必要がある。
【０１６６】
除湿モードが選択されると、除湿空清ボタン５４上部の除湿表示が点灯し、ファンモータ７とフラップ２ｔが稼動する。除湿モードでは、空気を除湿し、乾いたきれいな空気が部屋に送られる。低温でも除湿力が安定するデシカント式を用いている。除湿ユニットのデシカントロータ９が図１１の矢印β１１のように稼働するとともに、ファンケーシング３１（図１１，図１２参照）内の除湿ファン（図示せず）が稼働し、ヒータケース３４（図１１，図１２参照））に覆われるヒータ３３に通電され、図２（ｂ）の白抜き矢印α１１のように、フィルタユニット５を通って清浄にした空気をデシカントロータ９で水分を吸い取り除湿を行い、フラップ２ｔが開放された排出口２ｏ（図１，図２（ｂ）参照）から排出できる。除湿モード時に電源入・切ボタン５１を押下することで運転が停止され電源が切れる。その場合、全てのランプが消灯し、フラップ２ｔが閉じる。除湿モードを選択した時点では風量は自動となる。風量自動の場合は最初の３分間は「強」で運転し、その後は空気の汚れ度合いにより風量が切り替わる。除湿モードの自動運転時の風量範囲は「静」「弱」「中」「強」である。好みにより風量を変更したい場合は、風量切換ボタン５２ａにより切り換えることができる。
【０１６７】
結露セーブモードが選択されると、除湿空清ボタン５４上部の結露セーブ表示が点灯し、ファンモータ７とフラップ２ｔが稼動する。結露セーブモードでは、暖房時には加湿運転し、その後、就寝等で暖房を切って湿度が上がると自動で除湿運転に切り替わり、部屋の結露を抑える。空気清浄モードの加湿機能が付加された状態から、所定の湿度、例えば、湿度センサＥ３で検知される空気の湿度が６０％に上がった場合、空気清浄モードまたは空気清浄モードに除湿機能が付加された除湿モードに運転を切り替え、室内の露付きを抑制できる。例えば、結露セーブモードを選び、暖房がつけられている場合、湿度が低いため加湿運転を行う。その後、湿度５０％に達するとそれをキープするための加湿運転を行う。その状態から暖房を切ると、室温の低下にともない相対湿度が上昇する。湿度が６０％に達したときに自動で除湿運転に切り替わり、部屋に結露が発生することを防ぐ（図２２）。結露セーブモード時に電源入・切ボタン５１を押下することで運転が停止され電源が切れる。その場合、全てのランプが消灯し、フラップ２ｔが閉じる。結露セーブモードを選択した時点では風量は自動となる。風量自動の場合は最初の３分間は「中」で運転し、その後は空気の汚れ度合いにより風量が切り替わる。除湿モードの自動運転時の風量範囲は「静」「弱」「中」「強」である。好みにより風量を変更したい場合は、風量切換ボタン５２ａにより切り換えることができる。
【０１６８】
衣類乾燥モードが選択されると、除湿空清ボタン５４上部の衣類乾燥表示が点灯し、ファンモータ７とフラップ２ｔが稼動する。衣類乾燥モードでは、フラップからの風量が多くなる。除湿モードにおいて、図２（ｂ）に示すファンモータ７の回転速度を上昇し、フラップ２ｔが開放された排出口２ｏ（図１，図２（ｂ）参照）からの風量を上昇させるとともに、フラップ２ｔを小さい角度から大きな角度に往復回転動作させ、フラップ２ｔの挙動により、つまり風向を変えながら、干された衣類全体に風を送り、衣類の乾燥を行うことができる。例えば、風量は、ターボを除いて最も風量の多い強風量とする。衣類乾燥モード時に電源入・切ボタン５１を押下することで運転が停止され電源が切れる。その場合、全てのランプが消灯し、フラップ２ｔが閉じる。衣類乾燥モードを選択した時点では風量はターボとなりターボ表示が点滅する。風量自動の場合はターボ連続運転である。除湿モードの自動運転時の風量範囲は「ターボ」のみである。好みにより風量を変更したい場合は、風量切換ボタン５２ａにより切り換えることができる。
【０１６９】
除湿モード，衣類乾燥モード，結露セーブモードは運転開始後８時間経過でも自動停止し電源が切れる。その場合も、全てのランプが消灯し、フラップ２ｔが閉じる。
【０１７０】
さらに、臭いセンサＥ４やダストセンサＥ５を備えているので、衣類乾燥中及び運転後の臭気の変化あるいは塵埃濃度の変化を検知することにより、風量及び風向を変化させることで室内の臭いや塵埃を除去することができる。
【０１７１】
操作パネル６０のまかせてスタートボタン５３を１秒以上長押しすると、部屋の空気の状態を臭いセンサＥ４，ダストセンサＥ５，温度センサ，湿度センサＥ３が検知した空気の汚れ度合いと温度により加湿・空清または除湿・空清のどちらの運転を行うかを自動で選択し運転するまかせてスタートモードになる。加湿・空清が選択され、部屋の湿度が低い場合は「まかせてスタート」と「加湿」の表示が点灯し加湿運転が行われ、加湿・空清が選択され、部屋の空気が適度な場合は「まかせてスタート」と「空清」の表示が点灯し空気清浄運転が行われる。除湿・空清が選択され、部屋の湿度が高い場合は「まかせてスタート」と「除湿」の表示が点灯し除湿運転が行われ、除湿・空清が選択され、部屋の空気が適度な場合は「まかせてスタート」と「空清」の表示が点灯し空気清浄運転が行われる。まかせてスタートモード時に電源入・切ボタン５１を押下することで運転が停止され電源が切れる。あるいはまかせてスタートモードで運転開始後８時間経過によっても自動停止し電源が切れる。その場合、全てのランプが消灯し、フラップ２ｔが閉じる。まかせてスタートモードを選択し、センサの検知中は風量は「強」の連続運転で行われる。検知後はそれぞれのモードに応じた風量で運転される。
【０１７２】
まかせてスタートモード，空気清浄モード，強脱臭モード，加湿モード，肌保湿モード，除湿モード，結露セーブモードの何れかの運転モード中に操作パネル６０のｅｃｏ運転ボタン５２ｂを押下すると、ｅｃｏ運転ボタン５２ｂ上の表示が点灯しｅｃｏ運転が開始される。ｅｃｏ運転は、空気がきれいな状態ではファンモータ７の停止と少ない風量での稼動を繰り返す。ｅｃｏ運転では空気のきれいな状態が長時間続くと自動停止し、電源が切れる。その場合、全てのランプが消灯し、フラップ２ｔが閉じる。ｅｃｏ運転状態で再度ｅｃｏ運転ボタン５２ｂを押下するとｅｃｏ運転を解除し、ｅｃｏ運転前の運転モードになる。
【０１７３】
図２０はｅｃｏ運転の動作フローを示す図である。ｅｃｏ運転時は、まかせてスタートモード，空気清浄モード，強脱臭モード，加湿モード，肌保湿モード，除湿モード，結露セーブモードの何れかの運転モードでの空清運転において「静」状態がｔ０継続するとファンモータ７が停止する制御Ｔ１が行われる。ファンモータ７の停止からｔ２経過するとファンモータ７が「静」風量で稼動する制御が行われる。「静」状態がｔ１続くとファンモータ７が停止する制御Ｔ２が行われる。ｅｃｏ運転ファン制御中も臭いセンサＥ４とダストセンサＥ５と湿度センサＥ３による空気状態の検知は行われており、それぞれのセンサがあらかじめ設定した値となった場合はｅｃｏ運転ファン制御が解除され、各々の検知結果に応じた制御が行われる。たとえば、ｅｃｏ運転制御前に除湿運転を選んでいた場合は、ｅｃｏ運転中に湿度センサＥ３の検知結果があらかじめ設定した値となって湿度上昇と判断された場合はｅｃｏ運転ファン制御を解除し、除湿運転を行う。あるいはｅｃｏ運転制御前に加湿運転を選んでいた場合は、ｅｃｏ運転中に湿度センサＥ３の検知結果があらかじめ設定した値となって湿度低下と判断された場合はｅｃｏ運転ファン制御を解除し、加湿運転を行う。また、ｅｃｏ運転制御前に空清運転を選んでいた場合は、ｅｃｏ運転中に臭いセンサＥ４またはダストセンサＥ５の何れかがあらかじめ設定した値となって空気がきれいな状態とはいえなくなった場合にｅｃｏ運転ファン制御を解除し、空清運転を行う。それぞれの状態となった後に「静」状態がｔ０続くと再度ｅｃｏ運転ファン制御が行われる。
【０１７４】
図２１（ａ）は通常運転のタイミングチャートを示す図であり、図２１（ｂ）はｅｃｏ運転のタイミングチャートを示す図である。ｔ０，ｔ１，ｔ２，ｔ３，ｔ４は時間を表す。まかせてスタートモード，空気清浄モード，強脱臭モード，加湿モード，肌保湿モード，除湿モード，結露セーブモードの何れかの運転モードでの通常運転では、空気がきれいな状態で風量「静」となった後に空気がきれいな状態が持続しても「静」風量での運転が続けられる。対して、ｅｃｏ運転は、空気がきれいな状態で風量「静」運転がｔ０以上続いた場合に行われる。空気がきれいな状態とは、臭いセンサＥ４の検知結果があらかじめ設定した設定値ｅ４以下かつダストセンサＥ５の検知結果があらかじめ設定した値ｅ５以下となる場合である。空気がきれいな状態となるとファンモータ７は風量「静」で稼動される。「静」状態がｔ０以上続くとファンモータ７が停止される制御Ｔ１が行われる。その後、空気がきれいな状態が続きｔ２経過するとファンモータ７が稼動する制御Ｔ２が行われる。制御Ｔ２は「静」風量でｔ１運転が持続する。その後も空気がきれいな状態が続くとｔ１経過の後、再度制御Ｔ１が行われる。空気がきれいな状態が続くと制御Ｔ１と制御Ｔ２を繰り返す間欠運転の制御Ｔが行われる。ただし、ｅｃｏ運転中も臭いセンサＥ４，ダストセンサＥ５による空気の感知は行われており、臭いやホコリを感知すると空気の汚れ度合いに応じてファンモータ７が稼動し風量が切り替わる。風量が切り替わった後、空気がきれいな状態になり「静」風量運転がｔ０以上続いた場合、再びファンモータ７の稼動と停止を定期的に行う制御Ｔが行われる。ｅｃｏ運転が行われると、空気がきれいな状態のときのファンモータ７の稼動を自動休止することとなり、消費電力量の低減につながる。また、制御Ｔ２によりファンモータ７を稼動させる際も最も風量の小さい「静」風量で稼動されるため、消費電力量の低減につながる。また、間欠運動を繰り返し、ｔ４経過すると自動停止し電源が切れる制御とすることで更なる消費電力量の低減につながる。例えば、ｅ４は１、ｅ５は１とすると臭いセンサＥ４とダストセンサＥ５の検知結果が各々１以下であるときに空気がきれいな状態とされる。臭いセンサＥ４とダストセンサＥ５の何れかの検知結果が２以上となった場合は、ｅｃｏ運転でのファンモータ７の制御は解除され、空気の汚れ度合いに応じた風量で運転が行われることとなる。ｔ０〜ｔ４は、例えば、ｔ０＝１０分，ｔ１＝１０分，ｔ２＝５０分，ｔ３＝６０分，ｔ４＝８時間と設定することができる。よって、８時間経過後には自動停止し、電源が切れるためそれ以上の運転は行われず余計な消費電力がかかることはない。
【０１７５】
操作パネル６０のセルフ乾燥ボタン５２ｃを押下するとセルフ乾燥ボタン５２ｃ上の表示が点灯し、本体内部を送風運転で乾燥させ、カビの発生を抑えるセルフ乾燥運転となる。セルフ乾燥運転の際はフラップ２ｔは上方向で止まり、風量は強となる。長時間セルフ乾燥運転を行うと自動停止し電源が切れる。セルフ乾燥運転中にセルフ乾燥ボタン５２ｃを押下するとセルフ乾燥運転が停止され運転操作待ちの状態となり、そのまま何も操作を行わないとしばらくして電源が自動で切れる。あるいは、セルフ乾燥運転時に電源入・切ボタン５１を押下することでも運転が停止される。その場合、全てのランプが消灯し、フラップ２ｔが閉じる。
【０１７６】
スイング停止中に操作パネル６０のスイングボタン５２ｄを押下するとフラップ２ｔが所定の角度と全開との間の回転往復動作を行うスイング動作を行う。スイング動作中にスイングボタン５２ｄを押下すると押した位置でフラップ２ｔが停止する。
【０１７７】
また、スイングボタン５２ｄを３秒以上押すことで操作パネル６０の表示部のランプの明るさを切り換えることができる。スイングボタン５２ｄを押すごとにランプの明暗が切り替わる。これにより、例えば就寝時にランプの明るさを抑えた状態で空気清浄機を運転することが可能となる。
【０１７８】
操作パネル６０のタイマーボタン５２ｅを押下すると押すごとに２時間タイマー，４時間タイマー，タイマーなしが切り替わる。それに応じた表示が点灯する。２時間タイマー，４時間タイマーを選択した場合は、それぞれの時間の運転後、自動停止する。
【０１７９】
なお、ヒータ３３を使用するモードは、一度、電源入・切ボタン５１を押下し電源をオフし一時停止または停止した後でないと移行しない構成であるか、或いは、ヒータ３３を使用するモードは他のヒータ３３を使用しないモードより操作ボタン５０の押下時間を、発振子Ｅ８（図５参照）から取得される時間を用いて長く設定し、容易にヒータ３３を使用するモードに移行しないように制限し、信頼性を高めている。
【０１８０】
また、メモリー機能を有しており、電源入・切ボタン５１を押して電源を入れると、前回運転を終了したときの運転モードの表示が点滅する。前回の運転がまかせてスタートの場合にはまかせてスタートの表示が点滅する。前回ｅｃｏ運転の場合はｅｃｏ運転で運転する。
【０１８１】
風量ボタン５２ａを押すとともにスイングボタン５２ｄを３秒以上押下すると現在のセンサ感度が点滅して表示される。センサ感度は風量ボタン５２ａの上部にある風量「弱」「中」「強」の表示の点滅によりわかる。風量「弱」表示が点滅しているとセンサ感度は「低」であり、風量「中」表示が点滅しているとセンサ感度は「中」であり、風量「強」表示が点滅しているとセンサ感度は「高」である。感度表示が点滅している間にもう一度風量ボタン５２ａとともにスイングボタン５２ｄを３秒以上押下すると感度が切り替わる。この動作を繰り返す毎にセンサ感度が「低」「中」「高」と切り替わる。
【０１８２】
図４に示すように、空気清浄機１の操作パネル６０上に空気清浄モードと強脱臭モードを選択することができるボタンと、加湿モードと肌保湿モードを選択することができるボタンと、除湿モードと衣類乾燥モードと結露セーブモードを選択することができるボタンを配置すると共に異なる色に配色している。例えば、空清ボタン５６を緑に着色し、加湿空清ボタン５５を青に着色し、除湿空清ボタン５４をオレンジに着色する。
【０１８３】
そのため、ユーザにとっては、目的とするモードを選択しやすいという効果がある。また、各モードを選択すると、各モードに適切な風量やフラップによる風向が、予め設定済であるので多くの場合ユーザは、各モードの選択のみですむ効果がある。また、１つのボタンを押下することで類似機能のモードに派生しやすいため、目的のモードへ到達しやすく、操作ミスを減少させるという効果がある。また、類似機能のモードを同一ボタンで選択でき、除湿モードのグループつまり、ヒータ３３を使用するモードを選択するグループの操作ボタン５０の色を、ヒータ３３を使用しないモードの色を異なる色とすることで意図せぬヒータの作動などの誤操作を防止できる効果がある。また、類似機能のモードを同一ボタンで選択できるため、ユーザが意図したモードと空気清浄機の運転モードが異なり、意図せぬヒータの作動などの誤操作を防止できる効果がある。
【符号の説明】
【０１８４】
１  空気清浄機
５  浄化フィルタユニット（フィルタユニット）
６  気化フィルタ（気化フィルタユニット）
７  ファンモータ
９  デシカントロータ（除湿ユニット）
９ａ  デシカント（除湿ユニット）
９ｃ  デシカント保持部材（除湿ユニット）
１１  凝縮器（除湿ユニット）
１３  水タンク（給水タンク）
１５  気化フィルタユニット
１８  給水トレイ（気化フィルタユニット）
１９  トレイ給水突起
２０  トレイ環流突起
２１  ポンプ継ぎ手ユニット
２１ａ  吸い上げ孔部（タンク水吸い上げ孔部）
２１ｂ  給水孔部（トレイ給水孔部）
２１ｃ  トレイ水戻し孔部
２１ｄ  タンク戻し孔部（水戻し孔部）
３１  ファンケーシング（除湿ユニット）
３３  ヒータ（除湿ユニット）
３４  ヒータケース（除湿ユニット）
４０  光反射型センサ（除湿ユニット）
ｐ  ポンプ
Ｅ  制御装置（制御手段）
【図１】
0005478433.tif 000002
【図２（ａ）】
0005478433.tif 000003
【図２（ｂ）】
0005478433.tif 000004
【図３】
0005478433.tif 000005
【図４】
0005478433.tif 000006
【図５】
0005478433.tif 000007
【図６】
0005478433.tif 000008
【図７】
0005478433.tif 000009
【図８】
0005478433.tif 000010
【図９】
0005478433.tif 000011
【図１０】
0005478433.tif 000012
【図１１】
0005478433.tif 000013
【図１２】
0005478433.tif 000014
【図１３】
0005478433.tif 000015
【図１４】
0005478433.tif 000016
【図１５】
0005478433.tif 000017
【図１６】
0005478433.tif 000018
【図１７】
0005478433.tif 000019
【図１８】
0005478433.tif 000020
【図１９】
0005478433.tif 000021
【図２０】
0005478433.tif 000022
【図２１】
0005478433.tif 000023
【図２２】
0005478433.tif 000024